(57)【要約】【課題】年齢層の異なる複数のユーザが同時に視聴する場合であっても、各ユーザに違和感なくより好適な音声あるいは画像を再生する。【解決手段】実施形態の電子機器は、特定の日付におけるユーザの年齢を特定可能な年齢データを記憶する年齢記憶手段を備えている。そして、年齢算出手段は、現在の日付を取得し、年齢記憶手段の年齢データを参照してユーザの現在の年齢を算出する。これにより平均年齢算出手段は、ユーザの現在の年齢が所定の基準年齢以下である場合には、当該基準年齢以下の全ユーザの年齢を基準年齢として、聴取対象者の平均年齢を算出する。  この結果、出力補正手段は、平均年齢算出手段により算出された平均年齢に対応する所定の補正処理にしたがって、出力信号の補正を行う。【選択図】図１
2013211796.tif 000002
【特許請求の範囲】
【請求項１】
特定の日付におけるユーザの年齢を特定可能な年齢データを記憶する年齢記憶手段と、
現在の日付を取得し、前記年齢データを参照して前記ユーザの現在の年齢を算出する年齢算出手段と、
前記ユーザの現在の年齢が所定の基準年齢以下である場合には、当該基準年齢以下の全ユーザの年齢を前記基準年齢として、聴取対象者の平均年齢を算出する平均年齢算出手段と、
前記平均年齢算出手段により算出された平均年齢に対応する所定の補正処理にしたがって、出力信号の補正を行う出力補正手段と、
を備えた電子機器。
【請求項２】
前記出力信号は、音声出力信号であり、
前記補正は、聴覚レベル補正である、
請求項１記載の電子機器。
【請求項３】
前記基準最低年齢は、当該年齢における平均的な聴覚レベルが正常聴力範囲に属している年齢のうち、より高い年齢とされている、
請求項１又は請求項２記載の電子機器。
【請求項４】
前記出力信号は、映像出力信号であり、
前記補正は、画質補正である、
請求項１乃至請求項３のいずれかに記載の電子機器。
【請求項５】
前記出力信号は映像出力信号であり、
前記補正は、３Ｄ効果量補正である、
請求項１乃至請求項４のいずれかに記載の電子機器。
【請求項６】
放送電波を受信する受信手段を備え、
前記年齢算出手段は、前記放送電波に含まれる現在日付情報から前記現在の日付を取得する、
請求項１乃至請求項５のいずれかに記載の電子機器。
【請求項７】
前記平均年齢算出手段において、平均年齢算出の対象者は、登録されている全ユーザの内から予め指定されたユーザである、
請求項１乃至請求項６のいずれかに記載の電子機器。
【請求項８】
特定の日付におけるユーザの年齢を特定可能な年齢データを記憶する年齢記憶手段を備えた電子機器において実行される電子機器の制御方法において、
現在の日付を取得し、前記年齢データを参照して前記ユーザの現在の年齢を算出する年齢算出過程と、
前記ユーザの現在の年齢が所定の基準年齢以下である場合には、当該基準年齢以下の全ユーザの年齢を前記基準年齢として、聴取対象者の平均年齢を算出する平均年齢算出過程と、
前記平均年齢算出過程において算出された平均年齢に対応する所定の補正処理にしたがって、出力信号の補正を行う出力補正過程と、
を備えた電子機器の制御方法。
【請求項９】
特定の日付におけるユーザの年齢を特定可能な年齢データを記憶する年齢記憶手段を備えた電子機器をコンピュータにより制御するための制御プログラムであって、
前記コンピュータを、
現在の日付を取得し、前記年齢データを参照して前記ユーザの現在の年齢を算出する年齢算出手段と、
前記ユーザの現在の年齢が所定の基準年齢以下である場合には、当該基準年齢以下の全ユーザの年齢を前記基準年齢として、聴取対象者の平均年齢を算出する平均年齢算出手段と、
前記平均年齢算出手段において算出された平均年齢に対応する所定の補正処理にしたがって、出力信号の補正を行う出力補正手段と、
して機能させる、制御プログラム。
【発明の詳細な説明】
【技術分野】
【０００１】
本発明の実施形態は、電子機器、電子機器の制御方法及び制御プログラムに関する。
【背景技術】
【０００２】
人の聴覚特性は、年齢ととともに変化し、ある年齢を超えると、一般的な聴覚特性から大きくずれることが知られている。
これを解決するために、従来、テレビジョン受像器において、高齢者の視覚特性、聴覚特性に適した画像と音声を生成して出力するものが提案されている（例えば、特許文献１参照）。
【先行技術文献】
【特許文献】
【０００３】
【特許文献１】特開平９−２４７５６３号公報
【発明の概要】
【発明が解決しようとする課題】
【０００４】
しかしながら、従来技術においては、高齢者のみが視聴する場合であれば問題ないが、年齢層の異なる複数のユーザが同時に視聴する場合には、各ユーザにとって必ずしも好適な音声あるいは画像の再生を行うことができるものでは無かった。
【０００５】
本発明は、上記に鑑みてなされたものであって、年齢層の異なる複数のユーザが同時に視聴する場合であっても、各ユーザに違和感なくより好適な音声あるいは画像を再生することが可能な電子機器、電子機器の制御方法及び制御プログラムを提供することを目的としている。
【課題を解決するための手段】
【０００６】
実施形態の電子機器は、特定の日付におけるユーザの年齢を特定可能な年齢データを記憶する年齢記憶手段を備えている。
そして、年齢算出手段は、現在の日付を取得し、年齢記憶手段の年齢データを参照してユーザの現在の年齢を算出する。
【０００７】
これにより平均年齢算出手段は、ユーザの現在の年齢が所定の基準年齢以下である場合には、当該基準年齢以下の全ユーザの年齢を基準年齢として、聴取対象者の平均年齢を算出する。
この結果、出力補正手段は、平均年齢算出手段により算出された平均年齢に対応する所定の補正処理にしたがって、出力信号の補正を行う。
【図面の簡単な説明】
【０００８】
【図１】図１は、実施形態の電子機器としてのディジタルテレビの概要構成ブロック図である。
【図２】図２は、年代別の聴力特性説明図である。
【図３】図３は、初期設定処理の処理フローチャートである。
【図４】図４は、ユーザ年齢情報の初期設定画面の一例の説明図である。
【図５】図５は、ユーザ年齢入力画面の一例の説明図である。
【図６】図６は、平均年齢算出処理の処理フローチャートである。
【図７】図７は、通常処理時の処理フローチャートである。
【図８】図８は、視聴ユーザ特定画面の一例の説明図である。
【発明を実施するための形態】
【０００９】
次に実施形態について図面を参照して説明する。
［１］第１実施形態
図１は、実施形態の電子機器としてのディジタルテレビの概要構成ブロック図である。
ディジタルテレビ１０は、ディジタルテレビ１０全体を制御するコントローラとしてのＣＰＵ１１と、アンテナ１２を介してテレビ放送信号を受信するチューナ１３と、チューナ１３において、ＣＰＵ１１からの選局情報ＳＣによって、特定のチャンネルが選局され、当該選局されたチャンネルのテレビ放送信号が入力され、地上デジタル放送の音声データ、映像データ、データ放送データ、ＥＰＧ情報データに分離するストリーム分離部１４と、ストリーム分離部１４により分離された音声データが入力されて、音声データのデコードを行う音声デコーダ１５と、ストリーム分離部１４により分離された映像データが入力されて、映像データのデコードを行う映像デコーダ１６と、ストリーム分離部１４により分離されたデータ放送データが入力されて、データ放送データのデコードを行うデータ放送デコーダ１７と、ストリーム分離部１４により分離されたＥＰＧデータが入力されて、ＥＰＧデータのデコードを行うＥＰＧデコーダ１８と、を備えている。
【００１０】
また、ディジタルテレビ１０は、入力された音声データに対応する音声について複数の周波数帯域のそれぞれについて、独立して強調量を調整して出力可能なイコライザ１９と、イコライザ１９が出力した出力音声データのディジタル／アナログ変換を行ってアナログ音声信号として出力するＤ／Ａ変換部２０と、Ｄ／Ａ変換部２０が出力したアナログ音声信号を増幅して増幅アナログ音声信号（ステレオ信号）として出力するアンプ部２１と、アンプ部２１により出力された増幅アナログ音声信号により駆動されて音声を出力するスピーカ２２と、映像データ、データ放送データあるいはＥＰＧデータが入力され、液晶ディスプレイパネルに各種情報を表示させる表示装置（表示制御装置）２３と、リモートコントロール装置（リモコン装置）２４からのリモートコントロール信号を受信するリモートコントロール受信部（リモコン受信部）２５と、最後に視聴していたテレビ放送チャンネル（最終チャンネル）を特定する最終チャンネルデータ、予め登録されたユーザの年齢データ等の各種データを不揮発的に、更新可能に記憶する不揮発性メモリ２６と、ＣＰＵ１１からの表示切替制御信号ＳＳＷに基づいて映像データＤＧ、データ放送データＤＤ、ＥＰＧデータＤＥのうちから表示対象データを選択して原表示データＳＤ０として出力する表示切替部２７と、原表示データＳＤ０に画質調整などの各種表示処理を行って表示データＳＤとして出力する表示処理部２８と、表示データＳＤに基づいて各種表示を行う液晶ディスプレイパネル２９と、を備えている。
【００１１】
ここで、実施形態の説明に先立ち、加齢に伴う聴力特性の変化について説明する。
図２は、年代別の聴力特性説明図である。
聴力レベルは、２５ｄＢ〜３０ｄＢまでは、正常範囲と言われており、この範囲であれば聴力補正は必要ない。図２の例の場合には、およそ５０代までは、正常範囲に属している。
一方、６０代以降の世代では、年齢が上がるにつれて、高域（１０００Ｈｚ以上）の周波数帯域で、周波数が高くなるほど、聴力レベルが減衰して低下しているのが分かる。
したがって、６０代以降の世代については、聞き取りやすさを向上させるためには、聴力補正を行うのが有効であり、図２で示される減衰特性を補正するように、出力音声の周波数特性を制御することが必要である。
【００１２】
図３は、初期設定処理の処理フローチャートである。
リモコン装置２４を介してユーザ年齢情報の初期設定が指示されると、ＣＰＵ１１は、液晶ディスプレイパネル２９に初期設定画面を表示する（ステップＳ１１）。
【００１３】
図４は、ユーザ年齢情報の初期設定画面の一例の説明図である。
液晶ディスプレイパネル２９の表示画面には、図４に示すように、設定すべきユーザ数を入力する初期設定画面Ｄ１１が表示される（ステップＳ１２）。
これにより、ユーザがリモコン装置２４の操作キー（例えば、上下カーソルキー）を操作して、設定すべきユーザ数を入力し、確定する（ステップＳ１３）。図４の例の場合は、ユーザ数を５人とした場合の例である。
そして設定すべきユーザ数が確定すると、ＣＰＵ１１は、液晶ディスプレイパネル２９にユーザ年齢入力画面を表示する（ステップＳ１４）。
【００１４】
図５は、ユーザ年齢入力画面の一例の説明図である。
ユーザ年齢入力画面Ｄ１２には、ステップＳ１３で確定された設定ユーザ数分（図５の場合、５人分）の入力欄が表示されているので、ユーザは対応する入力欄をリモコン装置２４の操作キーにより選択し、リモコン装置２４の操作キー（例えば、上下カーソルキーあるいはチャンネルキー）を操作して、年齢を入力し、確定キーを操作する（ステップＳ１５）。
【００１５】
この結果、ＣＰＵ１１は、確定されたユーザの年齢情報データＡＧ１に登録日データＡＧ２（例えば、ＥＰＧデータから抽出）を対応づけて年齢データＡＧ（＝ＡＧ１＋ＡＧ２）として、不揮発性メモリに記憶する（ステップＳ１６）。ここで、年齢情報データＡＧ１に登録日データＡＧ２を対応づけるのは、一度登録を行えば、その後は、視聴日と登録日との差に基づいて、実際の視聴時の年齢を算出することができるようにするためである。
【００１６】
次にＣＰＵ１１は、全ユーザの年齢入力が完了したか否かを判別する（ステップＳ１７）。
ステップＳ１７の判別において、未だ全ユーザの年齢入力が完了していない場合には（ステップＳ１７；Ｎｏ）、ＣＰＵ１１は、再び処理をステップＳ１５に移行して、全てのユーザの年齢入力が完了するまで以下、同様の処理を繰り返す。
ステップＳ１７の判別において、全ユーザの年齢入力が完了した場合には（ステップＳ１７；Ｙｅｓ）、ＣＰＵ１１は、初期設定時におけるユーザの平均年齢を算出するステップＳ１８）。
【００１７】
ここで、平均年齢算出処理を行う理由について説明する。
聴力レベル補正を行うに際しては、上述したようにユーザの年齢を加味して行う必要があるが、ある特定のユーザに対応させて補正を行うと、他のユーザが同時に視聴する場合に、当該他の視聴者にとって聴力レベル補正量が少なすぎたり多すぎたりすることが考えられる。
ところで、ＷＨＯの統計によれば、５０歳以下の年齢においては、聴力の低下はほとんどないとされている（聴力レベル２５ｄＢ以内）。
【００１８】
したがって、５０歳以下の年齢においては、聴力補正処理を行う必要はないと考えられるが、複数のユーザの年齢を単純に平均した場合、当該、平均したユーザの年齢が、実際の年齢とかけ離れて聴力レベル補正が全く意味をなさないということが起こりえる。
例えば、８０歳の祖父と、１０歳の孫と、が同一のディジタルテレビを視聴するような場合である。
この場合、年齢の単純平均を行うと、４５歳となり、全く聴力補正処理がなされないこととなるが、８０歳の祖父にとっては、聞き取りが困難になる虞がある。
【００１９】
そこで、本実施形態においては、５０歳以下では、聴力の低下はほぼ無視できるので、５０歳以下のユーザは、一律に扱って良いものとするとともに、平均年齢を演算するに際して、最低年齢を５０歳として、聴力補正が必要なユーザ寄りの聴力補正を行えるようにしている。
【００２０】
この結果、ユーザの平均年齢を算出するに際して、８０歳の祖父と、１０歳の孫と、が同一のディジタルテレビを視聴する場合には、本実施形態によれば、平均年齢は、６５歳［＝（８０＋５０）／２］と算出されて、聴覚レベル補正が行われて、８０歳の祖父であっても聞き取りやすくなるようになっている。一方、１０歳の孫にとっても、あまり違和感を覚えない聴力レベル補正となるのである。
【００２１】
図６は、平均年齢算出処理の処理フローチャートである。
以下の説明においては、聴覚補正を行わない最高年齢を５０歳とするために基準年齢ＡＧＲ＝５０歳としている。この基準年齢ＡＧＲは、適宜選択可能であり、５０歳に限定されるものではない。
まず、ＣＰＵ１１は、年齢積算カウンタＷ＝０にするとともに、処理対象としたユーザ数をカウントするためのユーザカウンタＵ＝０とする初期化処理を行う（ステップＳ２１）。
【００２２】
次にＣＰＵは、ユーザカウンタＵ＝０をパラメータ（ユーザ特定パラメータとして機能）として、不揮発性メモリ２６からユーザ年齢データＡＧ（Ｕ）を読み出すとともに、初期設定日に対応する現在日付データＴＤを取得し、ユーザ年齢データＡＧ（Ｕ）を構成する年齢データＡＧ１（Ｕ）、登録日データＡＧ２（Ｕ）及び現在日付データＴＤに基づいて、初期設定日におけるユーザの年齢を求めてユーザ実年齢データＡＧＣ（Ｕ）を次式により算出し、ユーザカウンタＵの値に１を加える（ステップＳ２２）。
ＡＧＣ（Ｕ）＝ＡＧ１（Ｕ）＋ｉｎｔ［｛ＴＤ−ＡＧ２（Ｕ）｝／３６５］
【００２３】
なお、初期設定日においては、
ＴＤ＝ＡＧ２（Ｕ）
となるため、上記式は、実効的には、
ＡＧＣ（Ｕ）＝ＡＧ１（Ｕ）
となる。
【００２４】
また、通常使用時においては、上記式において、｛ＴＤ−ＡＧ２（Ｕ）｝は、ユーザの年齢登録時（初期設定時）からの経過日数であり、これを１年の日数（＝３６５日）で割った値の整数部分を抽出するｉｎｔ関数を求め、さらにユーザの登録時の年齢（＝ＡＧ１（Ｕ））を加算して、視聴日におけるユーザの実際の年齢（＝ＡＧＣ（Ｕ））を算出するのである。
【００２５】
続いてＣＰＵ１１は、算出した視聴日におけるユーザの実際の年齢（＝ＡＧＣ（Ｕ））が基準年齢ＡＧＲ（＝本実施形態では、５０歳）以下であるか否かを判別する（ステップＳ２３）。
ステップＳ２３の判別において、算出した視聴日におけるユーザの実際の年齢（＝ＡＧＣ（Ｕ））が基準年齢ＡＧＲを超えている場合には（ステップＳ２３；Ｎｏ）、ＣＰＵ１１は、処理をステップＳ２５に移行する。
【００２６】
ステップＳ２３の判別において、算出した視聴日におけるユーザの実際の年齢（＝ＡＧＣ（Ｕ））が基準年齢ＡＧＲ以下である場合には（ステップＳ２３；Ｙｅｓ）、ＣＰＵ１１は１１、ユーザ実年齢データＡＧＣ（Ｕ）を基準年齢ＡＧＲとする（ステップＳ２４）。
【００２７】
続いてＣＰＵ１１は、年齢積算カウンタＷの値にユーザ実年齢データＡＧＣ（Ｕ）を加算して新たな年齢積算カウンタＷの値とする（ステップＳ２５）。
すなわち、
Ｗ＝Ｗ＋ＡＧＣ（Ｕ）
を算出する。
続いてＣＰＵ１１は、ユーザカウンタＵの値が登録ユーザ数と等しくなったか否かを判別する（ステップＳ２６）。
【００２８】
ステップＳ２６の判別において、いまだユーザカウンタＵの値が登録ユーザ数未満である場合には（ステップＳ２６；Ｎｏ）、ＣＰＵ１１は、処理を再びステップＳ２２に移行し、以下、同様の処理を行う。
【００２９】
一方、ステップＳ２６の判別において、ユーザカウンタＵが登録ユーザ数と等しくなった場合には（ステップＳ２６；Ｙｅｓ）、全登録ユーザの実年齢の算出が完了しているので、視聴日におけるユーザの平均年齢データＡＡＧを次式により算出し（ステップＳ２７）、処理をステップＳ１９に移行する。
ＡＧＧ＝ｉｎｔ（Ｗ／Ｕ）
【００３０】
そして、ＣＰＵ１１は、得られた平均年齢データＡＡＧを不揮発性メモリ２６に格納して初期設定処理を終了する（ステップＳ１９）。
【００３１】
次に通常処理時の動作について説明する。
図７は、通常処理時の処理フローチャートである。
ＣＰＵ１１は、電源が投入されると起動する（ステップＳ３１）。
【００３２】
続いてＣＰＵ１１は、不揮発性メモリ２６を参照して、登録されている年齢データＡＧ（本実施形態では、登録ユーザ数は５人であるので、ＡＧ(１)〜ＡＧ（５））を読み出す（ステップＳ３２）。
続いてＣＰＵ１１は、視聴時における平均年齢を算出する平均年齢算出処理を行う（ステップＳ３３）。
【００３３】
ここで再び図６を参照して視聴時における平均年齢算出処理について説明する。
続いて、ＣＰＵ１１は、年齢積算カウンタＷ＝０にするとともに、処理対象としたユーザ数をカウントするためのユーザカウンタＵ＝０とする初期化処理を行う（ステップＳ２１）。
【００３４】
次にＣＰＵ１１は、ユーザカウンタＵ＝０をパラメータ（ユーザ特定パラメータとして機能）として、不揮発性メモリ２６からユーザ年齢データＡＧ（Ｕ）を読み出すとともに、視聴日に対応する現在日付データＴＤを取得し、ユーザ年齢データＡＧ（Ｕ）を構成する年齢データＡＧ１（Ｕ）、登録日データＡＧ２（Ｕ）及び現在日付データＴＤに基づいて、視聴日におけるユーザの年齢を求めてユーザ実年齢データＡＧＣ（Ｕ）を次式により算出し、ユーザカウンタＵの値に１を加える（ステップＳ２２）。
ＡＧＣ（Ｕ）＝ＡＧ１（Ｕ）＋ｉｎｔ［｛ＴＤ−ＡＧ２（Ｕ）｝／３６５］
【００３５】
続いてＣＰＵ１１は、算出した視聴日におけるユーザの実際の年齢（＝ＡＧＣ（Ｕ））が基準年齢ＡＧＲ（＝本実施形態では、５０歳）以下であるか否かを判別する（ステップＳ２３）。
ステップＳ２３の判別において、算出した視聴日におけるユーザの実際の年齢（＝ＡＧＣ（Ｕ））が基準年齢ＡＧＲを超えている場合には（ステップＳ２３；Ｎｏ）、ＣＰＵ１１は、処理をステップＳ２５に移行する。
【００３６】
ステップＳ２３の判別において、算出した視聴日におけるユーザの実際の年齢（＝ＡＧＣ（Ｕ））が基準年齢ＡＧＲ以下である場合には（ステップＳ２３；Ｙｅｓ）、ＣＰＵ１１は１１、ユーザ実年齢データＡＧＣ（Ｕ）を基準年齢ＡＧＲとする（ステップＳ２４）。
【００３７】
続いてＣＰＵ１１は、年齢積算カウンタＷの値にユーザ実年齢データＡＧＣ（Ｕ）を加算して新たな年齢積算カウンタＷの値とする（ステップＳ２５）。
すなわち、
Ｗ＝Ｗ＋ＡＧＣ（Ｕ）
を算出する。
続いてＣＰＵ１１は、ユーザカウンタＵの値が登録ユーザ数と等しくなったか否かを判別する（ステップＳ２６）。
【００３８】
ステップＳ２６の判別において、いまだユーザカウンタＵの値が登録ユーザ数未満である場合には（ステップＳ２６；Ｎｏ）、ＣＰＵ１１は、処理を再びステップＳ２２に移行し、以下、同様の処理を行う。
【００３９】
一方、ステップＳ２６の判別において、ユーザカウンタＵが登録ユーザ数と等しくなった場合には（ステップＳ２６；Ｙｅｓ）、全登録ユーザの実年齢の算出が完了しているので、視聴日におけるユーザの平均年齢データＡＡＧを次式により算出し（ステップＳ２７）、処理をステップＳ１９に移行する。
【００４０】
例えば、視聴日におけるユーザ５人の年齢が、８０歳、７８歳、４８歳、４２歳及び１０歳であった場合には、
Ｗ＝８０＋７８＋５０＋５０＋５０
＝３０８
であるので、
ＡＧＧ＝ｉｎｔ（３０８／５）
＝６１（歳）
となる。
【００４１】
したがって、視聴日におけるユーザの平均年齢データＡＡＧが５０歳を超えているので、当該平均年齢データＡＡＧに対応する予め記憶した聴覚補正特性に基づいて、ＣＰＵ１１はイコライザ１９をイコライザ調整信号ＥＱＣにより制御して聴覚レベル補正を施す（ステップＳ３４）。この結果、イコライザ１９は、音声デコーダ１５が出力した音声データの周波数特性を調整して、聴覚レベル補正音声データＤＡＥを生成し、Ｄ／Ａ変換部２０に出力する。
【００４２】
一方、映像デコーダ１６から出力された映像データＤＧは、表示切替部２７を介して原表示データＳＤ０として表示処理部２８に出力される。
表示処理部２８に入力された原表示データＳＤ０は、画質調整などの各種表示処理を行われて表示データＳＤとして液晶ディスプレイパネル２９に出力され、液晶ディスプレイパネル２９の表示画面では、画像再生がなされる（ステップＳ３５）。
【００４３】
Ｄ／Ａ変換部２０に入力された聴覚レベル補正音声データＤＡＥは、Ａ／Ｄ変換されて、アナログオーディオ信号ＡＡとしてアンプ部２１に出力される。
これと並行して、ＣＰＵ１１からアンプ部２１には、音量制御信号ＣＡが入力され、アンプ部２１は、音量制御信号ＣＡに対応する増幅率でアナログオーディオ信号ＡＡを増幅して増幅アナログオーディオ信号ＡＡＡとして、スピーカ２２に出力されて、音声再生がなされる（ステップＳ３６）。
【００４４】
この結果、ユーザ全体として最適な聴覚レベル補正がなされた音声がスピーカ２２から出力される。
すなわち、本来聴覚補正を行う必要がないユーザにとっては過度に聴覚レベル補正がなされることなく、かつ、聴覚補正を行う必要があるユーザにとっては、最適では無いものの、適度な聴覚補正がなされた音声が出力されて、聞き取りやすくなっている。
続いてＣＰＵ１１は、ユーザにより再生終了指示がなされたか否か、あるいは、再生コンテンツの再生が終了したか否かを判別する（ステップＳ３７）。
【００４５】
ステップＳ３７の判別において、ユーザにより再生終了指示及び再生コンテンツの再生も終了していない場合には（ステップＳ３７；Ｎｏ）、ＣＰＵ１１は、再び処理をステップＳ３５に移行し、以下同様の処理を行う。
ステップＳ３７の判別において、ユーザにより再生終了指示がなされたか、あるいは、再生コンテンツの再生が終了した場合には（ステップＳ３７；Ｙｅｓ）、処理を終了する。
【００４６】
以上の説明のように、本第１実施形態によれば、基準年齢ＡＧＲ（本実施形態では５０歳）以下のユーザについては、年齢が基準年齢ＡＧＲであるとして取り扱っているので、単純にユーザの平均年齢を用いて聴覚補正を行う場合と比較して、全ユーザにとってより最適な聴覚レベル補正量を得ることが出来る。
【００４７】
［２］第２実施形態
以上の第１実施形態は、常に初期設定で登録したユーザ全員が視聴しているものとして処理を行ったが、本第２実施形態は、視聴しているユーザをユーザが特定して、実際に視聴しているユーザに最適な聴覚レベル補正を行う場合の実施形態である。
図８は、視聴ユーザ特定画面の一例の説明図である。
視聴ユーザ特定画面Ｄ１３には、第１実施形態の初期設定処理のステップＳ１３で確定された設定ユーザ数分（図５の場合、５人分）の特定欄が表示されているので、ユーザは対応する視聴ユーザをリモコン装置２４の操作キーにより特定（選択）し、リモコン装置２４の操作キー（例えば、上下カーソルキーあるいはチャンネルキー）を操作して、確定キーを操作する。
これにより、ＣＰＵ１１は、視聴ユーザとして特定されたユーザのみを平均年齢算出処理に用いることとなる。
具体的には、図７の例の場合には、８０歳のユーザ１と、１０歳のユーザ５が視聴ユーザとして特定されている場合であるので、ＣＰＵ１１は、平均年齢算出処理において、１０歳のユーザ５の年齢を５０歳として、
Ｗ＝８０＋５０
＝１３０
であるので、
ＡＧＧ＝ｉｎｔ（１３０／２）
＝６５（歳）
となる。
【００４８】
したがって、視聴日におけるユーザの平均年齢データＡＡＧが５０歳を超えているので、当該平均年齢データＡＡＧ＝６５歳に対応する予め記憶した聴覚補正特性に基づいて、ＣＰＵ１１はイコライザ１９をイコライザ調整信号ＥＱＣにより制御して聴覚レベル補正を施すこととなる。
したがって、より聴覚レベル補正が必要とされる８０歳のユーザ寄りの聴覚レベル補正がなされて、登録されている全ユーザの平均年齢を用いて聴覚補正を行う場合と比較して、特定されたユーザにとってより最適な聴覚レベル補正量を得ることが出来る。
【００４９】
［３］第３実施形態
上記各実施形態は、聴力レベル補正を行う場合の実施形態であったが、同様にして、視聴者の年齢に応じて、画像補正を行うことも可能である。
この場合において、上記各実施形態と同様に、加齢に伴って補正量が大きいものについては、本第３実施形態においても、基準年齢ＡＧＲ以下の年齢の視聴者については、その年齢が基準年齢ＡＧＲであるものとして処理を行う。
【００５０】
例えば、画像のコントラストについては、加齢に伴って、コントラストが高い画像は疲れが増大する傾向にあるので、基準年齢ＡＧＲを超える年齢の視聴者が含まれる場合には、平均年齢算出処理によって得られた平均年齢に応じてコントラストを低くする処理を行うようにすればよい。
これに対し、３Ｄ表示においては、６歳以下の子供及び６０歳以上の高齢者は、船酔いになりやすいという傾向が知られている。
【００５１】
このような場合には、６歳超６０歳未満の年齢範囲の視聴者は、６０歳と見なして同様に３Ｄの飛び出し量（３Ｄ効果量）を少なくなるような制御を行うように構成することも可能である。
このようにすることにより、ユーザの使い勝手が向上するとともに、ユーザの健康に留意したディジタルテレビ再生を行うことが可能となる。
【００５２】
［４］実施形態の変形例
以上の説明においては、電子機器として、ディジタルテレビを例として説明したが、音声再生のみを行う音声再生装置、音声及び画像再生を行うマルチメディア再生装置、パーソナルコンピュータ、スマートフォン等の携帯型情報機器等の電子機器についても同様に適用が可能である。
また、以上の説明においては、ディジタルテレビを視聴しているユーザの特定は、視聴するユーザが行うものとしていたが、電子機器に撮像装置としてカメラを設け、顔認識などにより視聴しているユーザを自動的に特定して、同様の処理を行うように構成することも可能である。
この場合において、番組の途中でユーザが変更された場合には、音声などが変更されてしまうと違和感を覚える可能性があるので、ＥＰＧの番組表などを参照して、再生中の番組が変わるまでは、聴覚レベル補正等の補正処理を維持するように構成することも可能である。あるいは、直ちに補正処理を変更するように構成することも可能である。
【００５３】
また本実施形態の電子機器で実行される制御ログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５４】
また、本実施形態の電子機器で実行される制御プログラムを、インターネット等のネットワークに接続されたコンピュータ上に格納し、ネットワーク経由でダウンロードさせることにより提供するように構成しても良い。また、本実施形態の電子機器で実行される制御プログラムをインターネット等のネットワーク経由で提供または配布するように構成しても良い。
また、本実施形態の電子機器の制御プログラムを、ＲＯＭ等に予め組み込んで提供するように構成してもよい。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１０    ディジタルテレビ
１１    ＣＰＵ
１２    アンテナ
１３    チューナ
１４    ストリーム分離部
１５    音声デコーダ
１６    映像デコーダ
１７    データ放送デコーダ
１８    ＥＰＧデコーダ
１９    イコライザ
２０    Ａ変換部
２１    アンプ部
２２    スピーカ
２４    リモコン装置
２５    リモコン受信装置
２６    不揮発性メモリ
２７    表示切替部
２８    表示処理部
２９    液晶ディスプレイパネル
Ｄ１１  初期設定画面
Ｄ１２  ユーザ年齢入力画面
Ｄ１３  視聴ユーザ特定画面
ＡＡ    アナログオーディオ信号
ＡＡＡ  増幅アナログオーディオ信号
ＡＡＧ  平均年齢データ
ＡＧ    ユーザ年齢データ
ＡＧ１  年齢データ
ＡＧ２  登録日データ
ＡＧＣ  ユーザ実年齢データ
ＡＧＲ  基準年齢
ＣＡ    音量制御信号
ＤＡＥ  聴覚レベル補正音声データ
ＥＱＣ  イコライザ調整信号
ＴＤ    現在日付データ
【図１】
2013211796.tif 000003
【図２】
2013211796.tif 000004
【図３】
2013211796.tif 000005
【図４】
2013211796.tif 000006
【図５】
2013211796.tif 000007
【図６】
2013211796.tif 000008
【図７】
2013211796.tif 000009
【図８】
2013211796.tif 000010